(57)【要約】      （修正有）【課題】断線等の事態が発生してもインレットとの係合状態を維持することができると共に、配線部分の構造をより簡易なものとすることができる充放電コネクタを提供する。【解決手段】充放電コネクタは、充放電係合部６０と、充放電係合部の動きを規制することで係合状態を維持するロック機構７０とを備える。ロック機構７０は送出機構部８０を有する。送出機構部８０は、駆動部７０２がソレノイド部７０１に引き寄せられることで、規制部７０５を規制位置に送り出すと共に、駆動部７０２が再度ソレノイド部７０１に引き寄せられることで、規制部７０５を非規制位置に引き戻す。【選択図】図５
2016213117.tif 000002
【特許請求の範囲】
【請求項１】
蓄電装置を搭載した機器の受け側コネクタと挿抜自在に構成される充放電コネクタ（１）であって、
前記受け側コネクタの受け側端子部と電気的に接続される充放電端子部（２００，２０１）と、
前記受け側コネクタの受け側係合部（５０）に係合することで前記受け側端子部と前記充放電端子部との接合状態を維持する充放電係合部（６０）と、
前記充放電係合部の動きを規制することで前記充放電係合部と前記受け側係合部との係合状態を維持するロック機構（７０）と、を備え、
前記ロック機構は、
前記充放電係合部の動きを規制する規制位置と前記充放電係合部の動きを規制しない非規制位置との間で進退自在に移動する規制部（７０５）と、
磁性材料によって形成されている駆動部（７０２）と、
前記駆動部と前記充放電係合部との間に配置されるソレノイド部（７０１）と、
前記規制部と前記駆動部との間に配置される送出機構部（８０）と、を有しており、
前記送出機構部は、
前記駆動部が前記ソレノイド部に引き寄せられることで、前記規制部を前記規制位置に送り出すと共に、前記駆動部が再度前記ソレノイド部に引き寄せられることで、前記規制部を前記非規制位置に引き戻す、ことを特徴とする充放電コネクタ。
【請求項２】
前記送出機構部は、
前記規制部を前記駆動部側に付勢する付勢部と、
前記駆動部側から前記充放電係合部側に押されて回転することで、前記規制部を前記規制位置に送り出す前進位置と、前記規制部を前記非規制位置に引き戻す後退位置との間を往復する回転カム部材（８０３）と、有することを特徴とする請求項１に記載の充放電コネクタ。
【発明の詳細な説明】
【技術分野】
【０００１】
本発明は、蓄電装置を搭載した機器の受け側コネクタと挿抜自在に構成される充放電コネクタに関する。
【背景技術】
【０００２】
蓄電装置を搭載した電気自動車といった機器の受け側コネクタであるインレットに挿抜自在に構成される充放電コネクタが利用されている。下記特許文献１に記載されているように、このような充放電コネクタは、インレットと接続されて蓄電装置の充放電を行っている間、インレットから脱落しないような係合機構及びその係合機構をロックするロック機構が設けられている。
【先行技術文献】
【特許文献】
【０００３】
【特許文献１】特開２０１４−１９４９０９号公報
【発明の概要】
【発明が解決しようとする課題】
【０００４】
上記特許文献１には詳細に記載されていないけれども、係合機構は、充放電コネクタに設けられたリリースボタンを押すと回動して非係合状態となり、リリースボタンを押さない状態だと係合状態になるものである。ロック機構は係合機構の回動を規制するものであり、規制部材を係合機構側に送出することで係合機構の回動を規制し、規制部材を係合機構側から後退させることで非規制状態になるようにしている。
【０００５】
ロック機構の構成を模式的に示すと図６に示される図のようになる。従来のロック機構は、ソレノイド部７０１Ｆａ，７０１Ｆｂと、駆動部７０２Ｆと、検知部７０４と、を備えている。駆動部７０２Ｆは、係合機構側に送り出される規制部に連結され、鉄といった磁性材料によって構成されている。ソレノイド部７０１Ｆａは規制状態側のソレノイドであり、駆動線ＬａからコモンラインＬｃに電流を流すことで駆動部７０２Ｆを引き付ける。駆動部７０２Ｆが規制部を規制状態に送り出したことは、検知部７０４が検知する。検知部７０４には、モニタラインＬｍが繋がっており、コモンラインＬｃをソレノイド部７０１Ｆａと共有している。ソレノイド部７０１Ｆｂは非規制状態側のソレノイドであり、駆動線ＬｂからコモンラインＬｃに電流を流すことで駆動部７０２Ｆを引き付ける。
【０００６】
図６に示されたようなロック機構を用いれば、係合状態中において断線等の不測の事態が発生しても、係合状態が意図せず解消されることがなくより安全である。しかしながら、ソレノイドを一対設ける必要があり、それぞれのソレノイドを駆動するための駆動線も４本必要となるので、配線部分をより簡単な構造にすることが求められる。
【０００７】
本発明はこのような課題に鑑みてなされたものであり、その目的は、断線等の事態が発生してもインレットとの係合状態を維持することができると共に、配線部分の構造をより簡易なものとすることができる充放電コネクタを提供することにある。
【課題を解決するための手段】
【０００８】
上記課題を解決するために、本発明に係る蓄電装置を搭載した機器の受け側コネクタと挿抜自在に構成される充放電コネクタ（１）であって、前記受け側コネクタの受け側端子部と電気的に接続される充放電端子部（２００，２０１）と、前記受け側コネクタの受け側係合部（５０）に係合することで前記受け側端子部と前記充放電端子部との接合状態を維持する充放電係合部（６０）と、前記充放電係合部の動きを規制することで前記充放電係合部と前記受け側係合部との係合状態を維持するロック機構（７０）と、を備える。前記ロック機構は、前記充放電係合部の動きを規制する規制位置と前記充放電係合部の動きを規制しない非規制位置との間で進退自在に移動する規制部（７０５）と、磁性材料によって形成されている駆動部（７０２）と、前記駆動部と前記充放電係合部との間に配置されるソレノイド部（７０１）と、前記規制部と前記駆動部との間に配置される送出機構部（８０）と、を有している。前記送出機構部は、前記駆動部が前記ソレノイド部に引き寄せられることで、前記規制部を前記規制位置に送り出すと共に、前記駆動部が再度前記ソレノイド部に引き寄せられることで、前記規制部を前記非規制位置に引き戻す。
【０００９】
本発明によれば、一つのソレノイド部で駆動部を引き寄せる動作を繰り返すことで、規制部を規制位置と非規制位置との間で進退自在に移動させることができる。
【発明の効果】
【００１０】
本発明によれば、断線等の事態が発生してもインレットとの係合状態を維持することができると共に、配線部分の構造をより簡易なものとすることができる充放電コネクタを提供することができる。
【図面の簡単な説明】
【００１１】
【図１】図１は、本発明の実施形態に係る充放電コネクタの外観構成を示す斜視図である。
【図２】図２は、本実施形態の充放電係合部及びロック機構の構成を模式的に示す斜視図である。
【図３】図３は、図２に示される送出機構部を説明するための遷移図である。
【図４】図４は、図２に示される送出機構部を説明するための遷移図である。
【図５】図５は、図２に示されるロック機構の動作を説明するための図である。
【図６】図６は、従来のロック機構の概略構成を示す図である。
【図７】図７は、本実施形態のロック機構の概略構成を示す図である。
【発明を実施するための形態】
【００１２】
以下、添付図面を参照しながら本発明の実施形態について説明する。説明の理解を容易にするため、各図面において同一の構成要素に対しては可能な限り同一の符号を付して、重複する説明は省略する。
【００１３】
図１に示される本実施形態の充放電コネクタ１は、充放電制御装置（不図示）に繋がれているものである。充放電コネクタ１は、電気自動車のように蓄電装置を搭載した車両のインレット（受け側コネクタ、不図示）に接続されるものである。充放電コネクタ１がインレットに接続されると、電気自動車と充放電制御装置との間で充放電を行うことができる。
【００１４】
充放電コネクタ１は、コネクタ本体２とケーブル９とで構成される。ケーブル９は、一対の電源線（不図示）と、一対のＣＡＮ通信線（不図示）と、合計６本の伝送線（不図示）と、接地線とを有する１１心の電気ケーブルからなる。ケーブル９は、一端側にコネクタ本体２が設けられ、他端側が充放電制御装置に接続されている。
【００１５】
コネクタ本体２は、全体として円筒形に形成され、前端に接続部２０が設けられ、後端にハンドル４２が設けられている。接続部２０は、前面に４つの丸孔２００，２０１（充放電端子部）が開口している。大径の丸孔２００には主回路に接続された電源用コンタクト（不図示）が収納されている。一方、小径の２つの丸孔２０１は、内部が４つの区画に分けられており、各区画に伝送用及び接地用のコンタクト（不図示）がそれぞれ収納されている。
【００１６】
接続部２０の後端側には、接続部２０に外挿された円筒形の筒体４１が前後方向に移動自在に設けられている。筒体４１は、前端に外鍔４１０が設けられ、コネクタ本体２内に収納されているばね（不図示）によって前方に弾性付勢されている。そして、接続部２０をインレットに挿入すると、インレットの前面に外鍔４１０が押されて筒体４１が後方に移動し、筒体４１に押されてコネクタ本体２内に退避していた係合爪（図１において明示せず）がコネクタ本体２外に進出してインレットの係合溝（図１において明示せず）に係合する。
【００１７】
係合爪は、コネクタ本体２に設けられたリリースボタン４３が押操作されると、コネクタ本体２内に退避して係合溝との係合が解除される。また、コネクタ本体２内には、係合爪がコネクタ本体２内に退避しているときにオフとなり、係合爪がコネクタ本体２外に進出しているときにオンとなるスイッチ（不図示）が収納されている。
【００１８】
ここで、充電中にリリースボタン４３が押操作されて係合爪と係合溝の係合が解除されることを防止するため、係合爪がコネクタ本体２内に退避しないようにロックするロック機構（図１において明示せず）がコネクタ本体２内に設けられている。
【００１９】
図２を参照しながら、ロック機構７０について説明する。充放電コネクタ１は、充放電係合部６０と、ロック機構７０とを備えている。
【００２０】
充放電係合部６０は、回動軸６０１と、係合爪６０２とを有している。充放電係合部６０は、インレットの受け側係合部５０に係合することでインレットの受け側端子部（不図示）と充放電端子部であるコンタクト（不図示）との接合状態を維持する。受け側係合部５０には、係合爪６０２と係合する係合溝５０１が設けられている。
【００２１】
ロック機構７０は、充放電係合部６０の動きを規制することで充放電係合部６０と受け側係合部５０との係合状態を維持する機構である。ロック機構７０は、ソレノイド部７０１と、駆動部７０２と、押出棒７０３と、検知部７０４と、規制部７０５と、送出機構部８０とを有している。
【００２２】
規制部７０５は、充放電係合部６０の動きを規制する規制位置と充放電係合部６０の動きを規制しない非規制位置との間で進退自在に移動する部分である。駆動部７０２は、磁性材料によって形成されている部分である。
【００２３】
ソレノイド部７０１は、駆動部７０２と充放電係合部６０との間に配置される部分である。ソレノイド部７０１に通電すると駆動部７０２を充放電係合部６０側に引き寄せるように構成されている。
【００２４】
検知部７０４は、規制部７０５の位置を検知するためのセンサである。検知部７０４は一対設けられており、一方から他方に検知光が照射されている。規制部７０５が充放電係合部６０の動きを規制する位置に移動すると、検知部７０４の検知光を遮るので、検知光の受光状況によって規制部７０５の位置を検知することができる。
【００２５】
押出棒７０３は、駆動部７０２と送出機構部８０とを繋ぐ棒である。送出機構部８０は、規制部７０５と駆動部７０２との間に配置される部分である。送出機構部８０は、駆動部７０２がソレノイド部７０１に引き寄せられることで、規制部７０５を規制位置に送り出す。送出機構部８０は、更にその状態から、駆動部７０２が再度ソレノイド部７０１に引き寄せられることで、規制部７０５を非規制位置に引き戻す。
【００２６】
送出機構部８０について、図３、図４、図５を参照しながら具体的に説明する。図３は、送出機構部８０を説明するための遷移図であって、規制部７０５を規制位置に送り出す状態を説明する図である。図４は、送出機構部８０を説明するための遷移図であって、規制部７０５を非規制位置に引き戻す状態を説明する図である。図５の（Ａ）は、規制部７０５が非規制位置から規制位置に送り出される状態を説明する図である。図５の（Ｂ）は、規制部７０５が規制位置にあり、その規制位置から非規制位置に引き戻される状態を説明する図である。図５の（Ｃ）は、規制部７０５が非規制位置に戻り終わった状態を示す図である。
【００２７】
図３及び図４に示されるように、送出機構部８０は、カム本体８０１と、押出部８０２と、回転カム部材８０３と、バネ（付勢部、不図示）と、を備えている。カム本体８０１は、送出機構部８０の外装体と一体的に形成されている。送出機構部８０の外装体は円筒状に形成されており、カム本体８０１は、円筒状の外装体の内部に一定間隔をおいて形成されている。カム本体８０１は、規制部７０５側に回転カム部材８０３が入り込む溝が形成されている。
【００２８】
押出部８０２は、押出棒７０３の一端部側に設けられている。押出棒７０３の他端側は駆動部７０２に連結されている。押出部８０２の先端には、回転カム部材８０３が入り込む溝が等間隔に設けられている。
【００２９】
図３の（Ａ）に示される状態では、回転カム部材８０３は、バネによって付勢され駆動部７０２側に押し込まれた状態となっている。回転カム部材８０３は、規制部７０５の一端側に設けられている。規制部７０５の他端側は、充放電係合部６０に突出する側となっている。回転カム部材８０３は、駆動部７０２側から充放電係合部６０側に押されて回転することで、規制部７０５を規制位置に送り出す前進位置（図３参照）と、規制部７０５を非規制位置に引き戻す後退位置（図４参照）との間を往復するように構成されている。
【００３０】
図５の（Ａ）に示される状態から、ソレノイド部７０１に通電されると、駆動部７０２は充放電係合部６０側に引き寄せられる。駆動部７０２が充放電係合部６０側に引き寄せられると、押出棒７０３も充放電係合部６０側に引き寄せられる。
【００３１】
押出棒７０３の一端には押出部８０２が設けられているので、図３の（Ｂ）に示されるように、押出部８０２が規制部７０５側に動く。押出部８０２の溝に入り込んでいる回転カム部材８０３も、押出部８０２の動きにあわせて規制部７０５側に動く。
【００３２】
ソレノイド部７０１への通電が終了すると、図示しないバネによって押出棒７０３及び押出部８０２は駆動部７０２側に戻される。図３の（Ｃ）及び（Ｄ）に示されるように、押出部８０２が駆動部７０２側に戻されると、回転カム部材８０３は、カム本体８０１先端の傾斜溝に入り込み、回転しながらその傾斜溝のボトムに係合して保持される。回転カム部材８０３は、規制部７０５と繋がっているので、図５の（Ｂ）に示されるように、規制部７０５は規制位置に保持される。
【００３３】
図５の（Ｂ）の状態で、ソレノイド部７０１に通電すると、駆動部７０２は再び充放電係合部６０側に引き寄せられる。駆動部７０２が充放電係合部６０側に引き寄せられると、押出棒７０３も充放電係合部６０側に引き寄せられる。
【００３４】
押出棒７０３の一端には押出部８０２が設けられているので、図４の（Ａ）に示されるように、押出部８０２が規制部７０５側に動く。押出部８０２が回転カム部材８０３が保持されている位置まで到達すると、図４の（Ｂ）に示されるように、カム本体８０１から回転カム部材８０３が離脱する。
【００３５】
押出部８０２の溝も傾斜溝なので、回転カム部材８０３はその傾斜溝に沿って回転しながらボトムまで移動する。ソレノイド部７０１への通電が終了すると、図示しないバネによって押出棒７０３及び押出部８０２は駆動部７０２側に戻される。
【００３６】
図４の（Ｃ）及び（Ｄ）に示されるように、押出部８０２が駆動部７０２側に戻されると、回転カム部材８０３は、カム本体８０１先端の傾斜溝から滑り落ち、駆動部７０２側に移動する。回転カム部材８０３は、規制部７０５と繋がっているので、図５の（Ｃ）に示されるように、規制部７０５は非規制位置に保持される。
【００３７】
図７に示されるように、ロック機構７０は、ソレノイド部７０１と、駆動部７０２と、検知部７０４と、を備えている。検知部７０４には、モニタラインＬｍが繋がっており、コモンラインＬｃをソレノイド部７０１と共有している。ソレノイド部７０１は、駆動線ＬａからコモンラインＬｃに電流を流すことで駆動部７０２を引き付ける。本実施形態では、送出機構部８０を設けているので、一つのソレノイド部７０１で駆動部７０２を引き寄せることを繰り返すことで、規制部７０５を規制位置と非規制位置との間で進退自在に移動させることができる。
【００３８】
従って、図６に示された従来のロック機構に比較して、ソレノイドの数を１つ減らし、駆動線も１本減らすことができる。
【符号の説明】
【００３９】
１：充放電コネクタ
６０：充放電係合部
７０：ロック機構
７０１：ソレノイド部
７０２：駆動部
７０５：規制部
８０：送出機構部
【図１】
2016213117.tif 000003
【図２】
2016213117.tif 000004
【図３】
2016213117.tif 000005
【図４】
2016213117.tif 000006
【図５】
2016213117.tif 000007
【図６】
2016213117.tif 000008
【図７】
2016213117.tif 000009